(57)【要約】【課題】コンパクト化粧具として利用できる携帯端末を提供する。【解決手段】携帯端末本体部３に組み合わされた蓋部５に穿設された凹所１１の底面１１Ａに衝撃吸収材層１３を介してコンパクト用鏡１２を接着すると共に、凹所１１を開閉する開閉板１８を設けるようにしたことにより、ユーザが誤って携帯端末１を取り落した場合にも、コンパクト用鏡６の損傷を確実に防止することができる。【選択図】図２
0003144258.tif 000002
【実用新案登録請求の範囲】
【請求項１】
携帯端末本体部に組み合わされた蓋部の外側面にコンパクト用鏡収納部を有し、
上記コンパクト用鏡収納部は、
上記蓋部の外側面から穿設された凹所の底面に衝撃吸収材層を介して接着されたコンパクト用鏡と、
上記凹所を開閉する開閉板と
を具えることを特徴とする携帯端末。
【請求項２】
上記開閉板は、上記凹所の一側縁部にヒンジ子によって回動自在に装着された
ことを特徴とする請求項１に記載の携帯端末。
【請求項３】
上記開閉板の内側面には、補助衝撃吸収材層が設けられ、上記開閉板を閉塞動作させたとき上記コンパクト用鏡を上記補助衝撃吸収材と上記衝撃吸収材層とによってサンドウィッチするように支持する
ことを特徴とする請求項２に記載の携帯端末。
【考案の詳細な説明】
【技術分野】
【０００１】
本考案は携帯端末に関し、特にコンパクト用鏡を有するものに適用して好適なものである。
【背景技術】
【０００２】
近来、携帯して通信する携帯端末として、例えば携帯電話が普及しており、その携帯性を利用してこれにコンパクト用鏡を設けることにより、携帯端末としての利便性を向上させる工夫がされている（特許文献１参照）。
【特許文献１】実用新案登録第３１３２５２２号公報
【考案の開示】
【考案が解決しようとする課題】
【０００３】
ユーザが携帯端末として携帯している携帯電話には常時着信が生ずる可能性があり、その都度体又は身の周り品の収納場所から手で取り出して応答する必要性があるため、ユーザが誤って携帯電話を取り落とす危険性が大きい。
【０００４】
従って例えユーザが携帯電話を取り落としたとしても、ガラス材料を用いているコンパクト用鏡が割れたり損傷したりするおそれを回避できるようにすることが望ましい。
【０００５】
本考案は以上の点を考慮してなされたもので、例え取り落とされたような場合でも、コンパクト用鏡が損傷しないようにしたコンパクト用鏡を有する携帯端末を提案しようとするものである。
【課題を解決するための手段】
【０００６】
携帯端末本体部３に組み合わされた蓋部５の外側面５Ａにコンパクト用鏡収納部６を有し、コンパクト用鏡収納部６は、蓋部５の外側面５Ａから穿設された凹所１１の底面１１Ａに衝撃吸収材層１３を介して接着されたコンパクト用鏡１２と、凹所１１を開閉する開閉板１８とを設ける。
【考案の効果】
【０００７】
本考案によれば、携帯端末本体部に組み合わされた蓋部に穿設された凹所の底面に衝撃吸収材層を介してコンパクト用鏡を接着すると共に、凹所を開閉する開閉板を設けるようにしたことにより、ユーザが誤って携帯端末を取り落した場合にも、コンパクト用鏡の損傷を確実に防止することができる。
【考案を実施するための最良の形態】
【０００８】
以下図面について、本考案の一実施の形態を詳述する。
【０００９】
（１）実施の形態
図１において、１は全体として携帯端末としての携帯電話を示し、操作面２を有する携帯電話本体部３に対してヒンジ部４を介して、内側にディスプレイを有する蓋部５が開閉自在に装着されている。
【００１０】
蓋部５の外側面５Ｃの長さ方向の中央部分には、コンパクト用鏡収納部６が形成されている。
【００１１】
コンパクト用鏡収納部６は図２及び図３に示すように、板状の蓋部５の外側面５Ｃから穿設された断面方形状の凹所１１を有し、当該凹所１１の底面１１Ａに対して板状のガラス材でなるコンパクト用鏡１２が衝撃吸収材層１３を介して接着されている。
【００１２】
この実施の形態の場合、衝撃吸収材層１３はゴムシート材でなり、その下面が接着剤１４によって凹所１１の底面１１Ａに接着されると共に、その上面にコンパクト用鏡１２が接着材１５によって接着されている。
【００１３】
この実施の形態の場合、蓋部５の凹所１１の幅方向の一側縁部５Ａ上に、ヒンジ子１７を介して開閉板１８が装着され、これにより開閉板１８が、図３において実線図示のように例えば９０°だけ回動した開位置１８Ａと、破線図示のように凹所１１を閉塞した閉塞位置１８Ｂとを、回動し得るようになされている。
【００１４】
この実施の形態の場合、ヒンジ子１７は、開閉板１８が開閉動作するとき、所定の摩擦抵抗をもつようになされており、これによりユーザが開閉板１８を必要に応じて９０°の回動位置と、それ以外の回動位置とに回動停止させることができるようになされている（これをコンパクト化粧具モードと呼ぶ）。
【００１５】
蓋部５の、凹所１１のヒンジ子１７側の一側縁部５Ａとは反対側の他側縁部５Ｂには、凹所１１に臨むように、係止用段部１９が形成され、これにより開閉板１８が点線図示の閉塞位置１８Ｂにまで回動されたとき（これを携帯端末具モードと呼ぶ）、開閉板１８の先端が係子用端部１９に所定の摩擦をもって係止することにより、携帯電話１に多少の衝撃（ユーザが取り落とした程度の）が与えられたときでも、開閉板１８を当該閉塞位置１８Ｂに保持できるようになされている。
【００１６】
この実施の形態の場合、開閉板１８の先端部の表面には開操作用溝２１が穿設されており、これにより開閉板１８が閉塞位置１８Ｂにあるとき、ユーザが指先又は指先の爪を開操作用溝２１に引っ掛けて開閉板１８を開くことができるようになされている。
【００１７】
以上の構成において、ユーザは図４（Ａ）に示すように、携帯電話１の蓋部５を携帯電話本体部３に重ね合わせた折り畳み状態で、又は図４（Ｂ）に示すように、蓋部５を携帯電話本体部３から９０°に開いた状態において、コンパクト用鏡収納部６の開閉板１８を開けばコンパクト化粧具モードになり、蓋部５の凹所１１内に収納されているコンパクト用鏡６を目視できることにより、携帯電話１をコンパクト化粧具として利用して例えば顔を写し見ることができる。
【００１８】
これに対して携帯電話１をそれ自体の携帯端末として利用する場合には、コンパクト用鏡収納部６の開閉板１８を図３の破線図示の閉塞位置１８Ｂに閉じておけば携帯端末具モードとなり、このときコンパクト用鏡収納部６が携帯電話１を携帯端末として利用する際の邪魔にならないようにし得る。
【００１９】
このように携帯電話１を携帯端末として携帯端末モードで利用している状態において、携帯電話１を誤って取り落とした場合には、コンパクト用鏡収納部６の開閉板１８がコンパクト用鏡１２を覆うような保護動作をしていると共に、当該コンパクト用鏡１２を支持している衝撃吸収材層１３によって当該衝撃を吸収できることにより、コンパクト用鏡１２を損傷するおそれを確実に回避できる。
【００２０】
（２）他の実施の形態
（２−１）  上述の実施の形態においては、蓋部５の凹所１１の底面１１Ａに接着材１４によって接着された衝撃吸収材層１３上にコンパクト用鏡１２を接着材１５によって接着したことにより携帯電話１を取り落としたときにコンパクト用鏡１２に与えられる衝撃を吸収するようにしたが、これに加えて、図５に示すように、開閉板１８の内側に方形枠状の補助衝撃吸収材層２５を接着剤２６によって貼り付けることにより、開閉板１８を閉塞動作させたとき（図５（Ａ））、コンパクト用鏡１２を衝撃吸収材層１３及び補助衝撃吸収材層２５によってサンドイッチして保持するようにしても良い。
【００２１】
この構成によれば、開閉板１８を閉塞状態にしたとき、図５（Ｂ）に示すように、コンパクト用鏡１２の周縁部１２Ｂを間に挟むように衝撃吸収材層１３と補助衝撃吸収材層２５とによって保持できることにより、コンパクト用鏡１２に与えられる衝撃をさらに一段と確実に軽減することができる。
【００２２】
（２−２）  図５の実施の形態においては、補助衝撃吸収材層２５を枠形状にした場合について述べたが、当該補助衝撃吸収材層２５の形状は、これに限らず、開閉板１８の内表面全面に亘って設けたり、コンパクト用鏡１２の四隅や、中心部分を、部分的にサンドイッチするように設けたりするなど種々の形状にしても、衝撃吸収性能を高めることができる。
【００２３】
（２−３）  上述の実施の形態においては、本考案を携帯電話に適用した場合の実施例として述べたが、適用対象はこれに限らず、例えば音楽配信を受信できるような機器のように、種々のコンテンツを受信できる携帯端末に適用しても、上述の実施の形態と同様の効果を得ることができる。
【００２４】
（２−４）  上述の実施の形態においては、携帯端末としての携帯電話が携帯端末本体部３に対して蓋部５をヒンジ部４を介して回動自在に組み合わせた場合について述べたが、これに代え、蓋部５を携帯端末本体部３から開く際に、蓋部５を携帯端末本体部３から旋回させるように組み合せるようにしても、本考案を適用できる。
【００２５】
（２−５）  上述の実施の形態においては、衝撃吸収材層１３及び補助衝撃吸収材層２５としてゴムシートを用いた場合について述べたが、材料としてはこれに限らず、アルファゲル（登録商標）シートを用いるようにすることにより、衝撃吸収性を高めるようにしても良い。
【産業上の利用可能性】
【００２６】
本考案は携帯端末をコンパクト化粧具として利用する場合に適用できる。
【図面の簡単な説明】
【００２７】
【図１】本考案の一実施の形態による携帯電話を示す斜視図である。
【図２】図１の携帯電話をコンパクト化粧具モードでコンパクト化粧具として利用する場合の状態を示す斜視図である。
【図３】図２のＡ―Ａ断面構造を示す断面図である。
【図４】（Ａ）及び（Ｂ）は携帯電話１を閉じた状態又は開いた状態でコンパクト化粧具として利用する状態を示す携帯電話の正面図である。
【図５】（Ａ）及び（Ｂ）はコンパクト用鏡収納部６の他の実施の形態を示す断面図及び開閉板１８側から見た正面図である。
【符号の説明】
【００２８】
１……携帯電話、２……操作面、３……携帯端末本体部、４……ヒンジ部、５……蓋部、６……コンパクト用鏡収納部、１１……凹所、１２……コンパクト用鏡、１３……衝撃吸収材層、１４、１５、２６……接着剤、１７……ヒンジ子、１８……開閉板、１９……係止用段部、２１……開操作用溝、２５……補助衝撃吸収材層。
【図１】
0003144258.tif 000003
【図２】
0003144258.tif 000004
【図３】
0003144258.tif 000005
【図４】
0003144258.tif 000006
【図５】
0003144258.tif 000007